【手続補正書】
【提出日】平成25年8月20日(2013.8.20)
【手続補正１】
【補正対象書類名】特許請求の範囲
【補正対象項目名】全文
【補正方法】変更
【補正の内容】
【特許請求の範囲】
【請求項１】
記録ヘッドに具備された記録素子を動作させて記録される画像の描画性能を定量的に表す評価値を求めるための描画性能評価関数を、少なくとも一つ取得する描画性能評価関数取得手段と、
複数の画素から構成される多階調の画像を表すラスター画像データを取得するラスター画像データ取得部と、
前記取得されたラスター画像データに対して、前記取得された描画性能評価関数により求められた評価値が最良の描画性能を示すように、記録画像の記録媒体上における位置を算出する描画位置算出手段と、
前記算出された記録媒体上の位置に画像が記録されるように、前記ラスター画像データを調整する描画位置調整手段と、
を備えたことを特徴とする画像処理装置。
【請求項２】
前記調整されたラスター画像データに対して、ハーフトーン処理を施すハーフトーン処理手段を備えたことを特徴とする請求項１に記載の画像処理装置。
【請求項３】
前記描画性能評価関数取得手段は、各画素の階調値に応じて算出される前記描画性能評価関数を取得することを特徴とする請求項１又は２に記載の画像処理装置。
【請求項４】
前記描画性能評価関数取得手段は、記録媒体上の位置をパラメータとする前記描画性能評価関数を取得することを特徴とする請求項１から３のいずれか１項に記載の画像処理装置。
【請求項５】
前記描画位置算出手段は、複数の前記描画性能評価関数が合成された合成描画性能評価関数により求められた評価値が最良の描画性能を示すように記録画像の記録媒体上における位置を算出することを特徴とする請求項１から４のいずれか１項に記載の画像処理装置。
【請求項６】
前記描画性能評価関数取得手段は、記録画像における濃度むらの情報、及び前記濃度むらの補正性能から算出される第１の描画性能評価関数を取得することを特徴とする請求項１から５のいずれか１項に記載の画像処理装置。
【請求項７】
前記描画性能評価関数取得手段は、前記記録ヘッド内の異常記録素子の情報、及び前記異常記録素子の補正性能から算出される第２の描画性能評価関数を取得することを特徴とする請求項６に記載の画像処理装置。
【請求項８】
前記描画性能評価関数取得手段は、画像記録中の振動により発生する記録画像における濃度むらの情報から算出される第３の描画性能評価関数を取得することを特徴とする請求項７に記載の画像処理装置。
【請求項９】
前記描画位置算出手段は、前記第１の描画性能評価関数、及び前記第２の描画性能評価関数、前記第３の描画性能評価関数を合成した第４の描画性能評価関数により求められた評価値が最良の描画性能を示すように記録画像の記録媒体上における位置を算出することを特徴とする請求項８に記載の画像処理装置。
【請求項１０】
前記描画位置算出手段は、１枚の記録媒体に複数の記録画像を記録する際に、記録画像ごとに位置を算出することを特徴とする請求項７から９のいずれか１項に記載の画像処理装置。
【請求項１１】
前記描画位置算出手段は、１枚の記録媒体に複数の記録画像を記録する際に、前記複数の記録画像全体の位置を算出することを特徴とする請求項７から９のいずれか１項に記載の画像処理装置。
【請求項１２】
前記調整されたラスター画像データに対して濃度むらに対する補正処理を施す濃度むら補正処理手段を備えたことを特徴とする請求項７から１１のいずれか１項に記載の画像処理装置。
【請求項１３】
前記調整されたラスター画像データに対して前記異常記録素子に対する補正処理を施す異常記録素子補正処理手段を備えたことを特徴とする請求項７から１２のいずれか１項に記載の画像処理装置。
【請求項１４】
記録ヘッドに具備された記録素子を動作させて記録される画像の描画性能を定量的に表す評価値を求めるための描画性能評価関数を、少なくとも一つ取得する描画性能評価関数取得手段と、
複数の画素から構成される多階調の画像を表すラスター画像データを取得するラスター画像データ取得部と、
前記取得されたラスター画像データに対して、前記取得された描画性能評価関数により求められた評価値が最良の描画性能を示すように記録画像の記録媒体上における位置を算出する描画位置算出手段と、
前記算出された記録媒体上の位置に画像が記録されるように、前記ラスター画像データを調整する描画位置調整手段と、
前記調整されたラスターイメージに基づいて、記録媒体上に記録画像を記録するように前記記録ヘッドに具備される前記記録素子を動作させる記録制御手段と、
を備えたことを特徴とする画像記録装置。
【請求項１５】
記録ヘッドに具備された記録素子を動作させて記録される画像の描画性能を定量的に表す評価値を求めるための描画性能評価関数を、少なくとも一つ取得する描画性能評価関数取得工程と、
複数の画素から構成される多階調の画像を表すラスター画像データを取得するラスター画像データ取得工程と、
前記取得されたラスター画像データに対して、前記取得された描画性能評価関数により求められた評価値が最良の描画性能を示すように記録画像の記録媒体上における位置を算出する描画位置算出工程と、
前記算出された記録媒体上の位置に画像が記録されるように、前記ラスター画像データを調整する描画位置調整工程と、
を含むことを特徴とする画像処理方法。
【手続補正２】
【補正対象書類名】明細書
【補正対象項目名】００５３
【補正方法】変更
【補正の内容】
【００５３】
記録ヘッドの固体差には、記録ヘッドを構成するヘッドモジュール（図１０、１１参照）の固体差、ヘッドモジュールの取り付けのばらつき、インクの吐出特性の違い（ノズルの機械加工のばらつき）などが挙げられる。
【手続補正３】
【補正対象書類名】明細書
【補正対象項目名】０１１１
【補正方法】変更
【補正の内容】
【０１１１】
図１０は、インクジェットヘッド１４０の概略構成図であり、同図はインクジェットヘッド１４０から記録媒体の記録面を見た図（ヘッドの平面透視図）となっている。同図に示すヘッド１４０は、ｍ個のヘッドモジュール１４２‐ｊ（ｊは１からｍの整数）をヘッド１４０の長手方向に沿って一列につなぎ合わせてマルチヘッドを構成している。また、各ヘッドモジュール１４２‐ｊは、ヘッド１４０の短手方向の両側からヘッドカバー１４４，１４６によって支持されている。なお、図示は省略するが、ヘッドモジュール１４２を千鳥状に配置してマルチヘッドを構成することも可能である。
【手続補正４】
【補正対象書類名】明細書
【補正対象項目名】０１２７
【補正方法】変更
【補正の内容】
【０１２７】
上述したラスター画像データに対する記録画像の位置調整処理は、図１２の画像処理部１７６において実行される。すなわち、通信インターフェース１７０は、図１のラスター画像データ入力部１２に相当し、図１２の画像処理部１７６は、図１の描画位置調整処理部１４、濃度むら補正処理部１６、吐出異常ノズル補正処理部１８、ハーフトーン処理部２０、ハーフトーン画像データ出力部２２及び描画位置調整量算出部３２に相当する。
【手続補正５】
【補正対象書類名】明細書
【補正対象項目名】０１６２
【補正方法】変更
【補正の内容】
【０１６２】
（発明７）：発明６に記載の画像処理装置において、前記描画性能評価関数取得手段は、前記記録ヘッド内の異常記録素子の情報、及び前記異常記録素子の補正性能から算出される第２の描画性能評価関数を取得することを特徴とする。
【手続補正６】
【補正対象書類名】明細書
【補正対象項目名】０１６５
【補正方法】変更
【補正の内容】
【０１６５】
（発明８）：発明７に記載の画像処理装置において、前記描画性能評価関数取得手段は、画像記録中の振動により発生する記録画像における濃度むらの情報から算出される第３の描画性能評価関数を取得することを特徴とする。
【手続補正７】
【補正対象書類名】明細書
【補正対象項目名】０１６９
【補正方法】変更
【補正の内容】
【０１６９】
（発明１０）：発明７から９のいずれかに記載の画像処理装置において、前記描画位置算出手段は、１枚の記録媒体に複数の記録画像を記録する際に、記録画像ごとに位置を算出することを特徴とする。
【手続補正８】
【補正対象書類名】明細書
【補正対象項目名】０１７１
【補正方法】変更
【補正の内容】
【０１７１】
（発明１１）：発明７から９のいずれかに記載の画像処理装置において、前記描画位置算出手段は、１枚の記録媒体に複数の記録画像を記録する際に、前記複数の記録画像全体の位置を算出することを特徴とする。
【手続補正９】
【補正対象書類名】明細書
【補正対象項目名】０１７３
【補正方法】変更
【補正の内容】
【０１７３】
（発明１２）：発明７から１１のいずれかに記載の画像処理装置において、前記調整されたラスター画像データに対して濃度むらに対する補正処理を施す濃度むら補正処理手段を備えたことを特徴とする。
【手続補正１０】
【補正対象書類名】明細書
【補正対象項目名】０１７５
【補正方法】変更
【補正の内容】
【０１７５】
（発明１３）：発明７から１２のいずれかに記載の画像処理装置において、前記調整されたラスター画像データに対して前記異常記録素子に対する補正処理を施す異常記録素子補正処理手段を備えたことを特徴とする。